(57)【要約】【課題】浴室等で湯上に浮かせて手軽に楽しめるゲームを提供する。【解決手段】磁着可能材質を表面に固着させた軽比重板体の表面に文字・図形・模様を表現してなるボードを設け、一方、適宜形状・サイズの軽比重材料に磁石を内蔵するとともに、その表面に適宜に文字・図形・模様を表現した複数個のコマを設け、ボード上にコマを適宜に磁着させることにより、目的とする文字・図形・模様を完成させるよう構成したことを特徴とする。【選択図】      図１１
2005199022.tif 000002
【特許請求の範囲】
【請求項１】
磁着可能材質を表面に固着させた軽比重板体の表面に文字・図形・模様を表現してなるボードを設け、一方、適宜形状・サイズの軽比重材料に磁石を内蔵するとともに、その表面に適宜に文字・図形・模様を表現した複数個のコマを設け、ボード上にコマを適宜に磁着させることにより、目的とする文字・図形・模様を完成させるよう構成したことを特徴とする娯楽用コマ付きボード。
【請求項２】
ボードに磁石を、コマに磁着可能材質を設けてなる請求項１記載の娯楽用コマ付きボード。
【発明の詳細な説明】
【技術分野】
【０００１】  この発明は、浴室その他の場所で手軽にゲーム等を楽しむことのできる娯楽用のコマ付きボードに関する。
【背景技術】
【０００２】  従来より、種々のゲーム・遊びがあるが、机上や床上で楽しむものが大半であり、本発明にて示すように、水上で楽しめるゲーム・遊びは現在のところ見当たらない。
【発明の開示】
【発明が解決しようとする課題】
【０００３】  従来より、囲碁、将棋、オセロ、双六、ジグソーパズルなど多種多様なゲーム・遊びがあるが、これらはいずれも机上や床上で楽しむものである。一方、浴室内においては船や動物をかたどった水に浮かせて遊ぶものはあるが、水上にて楽しむゲームは見当たらない。
以上に鑑み、本発明は浴室とくに浴槽内に浮かべて老若男女いずれも手軽に楽しむことのできる新規な娯楽用物品を提供することを目的としたものである。
【課題を解決するための手段】
【０００４】  課題を解決する手段として本発明は、軽比重のボードとコマを互いに磁着可能に設け、ボードの所定位置にコマを磁着させて目的を達するものとした。
すなわち、磁着可能材質を表面に固着させた軽比重板体の表面に文字・図形・模様を表現してなるボードを設け、一方、適宜形状・サイズの軽比重材料に磁石を内蔵するとともに、その表面に適宜に文字・図形・模様を表現した複数個のコマを設け、ボード上にコマを適宜に磁着させることにより、目的とする文字・図形・模様を完成させるよう構成する。本発明は以上の構成よりなる娯楽用コマ付きボードである。
【発明の効果】
【０００５】  本発明によれば、水や湯上にボードとコマを浮かべ、ボードにコマを磁着させて所定の文字・図形・模様を完成させることができるので、年令・性別を問わずにだれでも手軽に興味深く楽しむことのできる新規かつ有用なる娯楽用具を提供することができる。
また、ボードやコマの文字・図形・模様とその配置を工夫することで多種多様に楽しむことができる。
【発明を実施するための最良の形態】
【０００６】  以下、本発明の実施形態について説明する。
図において、１は水上に浮かべて使用するボードである。このボードは適宜厚さの長方形発泡合成樹脂２の上下両面に同サイズの磁着可能材質としての鉄板３を固着し、全体を合成樹脂フィルムよりなる防水フィルム４で覆い、ボードの片面もしくは両面に、適宜に文字・図形・模様を表現した合成樹脂製の装飾シート５を固着させて構成される。
１０はコマで、平面視円形で側面視略鼓形の発泡合成樹脂１１の上下面に、可撓性磁石１２（ゴムもしくは軟質合成樹脂中に磁化鉄粉を混入成形したもの）を固着して前記同様の防水フィルム１３で全体を覆い、その上下面に、文字・図形・模様を表現した合成樹脂製の装飾シート１４を固着して構成される。
本発明を使用するには、ボードとコマを浴槽内の湯に浮かせ、コマをボード上に磁着させて遊ぶが、図１〜図２は幼児向けの文字遊びの例である。
ボード上にはいろは４０音が順序よく表現されており、コマ表面にはいろはの各文字のいずれかが表現されている。このコマを湯上にまいて浮かべておき、幼児単独でもしくは同室の年長者の指示にて、浮かんでいるコマの一つを手に取り、ボード上の対応個所に磁着させ、これをくり返してすべてのコマをボードに磁着させて所定の文字配列を完成させるものである。【０００７】  ボードおよびコマは発泡合成樹脂を主体として構成されているので、湯上に浮かべて使用することができる。また、コマはその側部がくびれているので、ボードに磁着させるときおよび磁着を解除するときに指でつまみやすい。ボードとコマはその上下面に装飾シートを有しているので、上面と下面に各々別の文字・図形・模様を表現することで、二種の遊びができる。例えば、文字遊びの場合では、ボードの上面およびコマ上面にひらがなを、ボード下面およびコマ下面にカタカナを表現して遊ぶことができる。
図４はボード構成の他例を示すもので、ボード外周近傍に四角枠状の発泡合成樹脂を設け、ボード中央に空洞を設けたもので、その他の構成は前例と同様である。こうすることで、使用材質を少なくすることができる。
図７はコマを円柱形に、図８はコマ下方に段部を設けた例である。また図９はコマを逆円錐台形に形成したものであり、図７はその上下面に装飾シートを設け、図８と図９はその上面にのみ装飾シートを設けた例である。図８と図９のコマ形状は、指でつまみやすくなるよう配慮したものである。図１０はコマ中心部分に円柱形のフェライト磁石を設けたもので、その機能は記述のコマ例と同様である。【０００８】  本発明の概要については既述したが、本発明は水や湯に浮かせて遊べるところにその特徴がある。既述のように、従来は船や動物あるいはキャラクターの形をしたものを浮かせて遊ぶものしかなく、単純な遊びであったが、本発明はボードとコマの双方を湯に浮かせ、ボードにコマを磁着させて遊ぶことができるので、その応用範囲は広く、知育にも有効である。実施形態で示したのは文字遊びの例であるが、ボードおよびコマの視覚表現を変えることで、囲碁、将棋、オセロ、双六、ジグソーパズルその他の多様な遊びが可能である。
なお、既述の例ではボードに鉄板を、コマに磁石を設けたが、逆にボードに磁石をコマに鉄板を設けて構成してもよい。
磁着可能材質としては、鉄板以外に鉄粉を混入成形した合成樹脂や特定成分比によるステンレス等を用いてもよく、場合によってはこの磁着可能材質に直に文字・図形・模様を表現してもよい。また、装飾シートを用いずに防水フィルムに直に文字・図形・模様を表現してもよい。あるいは装飾シート裏面に弱粘着層を設けてボードやコマに粘着させて使用し、必要に応じてこの装飾シートを引き剥がし、他の文字・図形・模様を表現した装飾シートを粘着させて使用することもできる。
以上のごとく、本発明により湯上に浮かせて多様に楽しむことのできる新規な娯楽用のコマ付きボードを得ることができる。
【図面の簡単な説明】
【０００９】
【図１】  本発明のボードの平面図
【図２】  本発明のボードの正面図
【図３】  本発明のボードの内部構造説明図
【図４】  本発明のボードの他例を示す内部構造説明図
【図５】  本発明のコマの一例を示す平面図
【図６】  本発明のコマの内部構造説明図
【図７】  本発明の他例のコマの内部構造説明図
【図８】  本発明の他例のコマの内部構造説明図
【図９】  本発明の他例のコマの内部構造説明図
【図１０】  本発明の他例のコマの内部構造説明図
【図１１】  本発明の使用状態図（平面視）
【図１２】  本発明の使用状態図（正面視）
【符号の説明】
【００１０】  １    ボード
２    発泡合成樹脂
３    鉄板
４    防水フィルム
５    装飾シート
１０  コマ
１１  発泡合成樹脂
１２  可撓性磁石
１３  防水フィルム
１４  装飾シート
１５  フェライト磁石
【図１】
2005199022.tif 000003
【図２】
2005199022.tif 000004
【図３】
2005199022.tif 000005
【図４】
2005199022.tif 000006
【図５】
2005199022.tif 000007
【図６】
2005199022.tif 000008
【図７】
2005199022.tif 000009
【図８】
2005199022.tif 000010
【図９】
2005199022.tif 000011
【図１０】
2005199022.tif 000012
【図１１】
2005199022.tif 000013
【図１２】
2005199022.tif 000014